(57)【特許請求の範囲】
【請求項１】
ばね筒（１４）に螺合された握り（１６）をねじ込むことによって、前記ばね筒（１４）内のばね（１２）を圧縮させて該ばね（１２）に荷重を生じさせ、この荷重をばね下（１１）を通して弁（６）に作用させつつ該弁（６）と弁座（４）の間に液体を通過させて圧力を生じさせる調圧弁において、前記ばね下（１１）に挿入され、さらに前記ばね筒（１４）に前記ばね（１２）の伸縮方向に移動可能に挿入されたピン（２４）と、このピン（２４）に前記ばね筒（１４）の半径方向に突出するように設けられたピン側係合部（２８）と、前記握り（１６）に該握り（１６）の半径方向に突出するように設けられ、該握り（１６）を緩めるときに前記ピン（２４）の前記ピン側係合部（２８）に係合する握り側係合部（３１）とを備えていることを特徴とする調圧弁。
【発明の詳細な説明】
【０００１】
【発明の属する技術分野】
本発明は、ポンプの吐出部等に取り付けられて、ポンプの吐出圧の調圧等に用いられる調圧弁に関する。
【０００２】
【従来の技術】
図７は、従来のダイヤル式の調圧弁を示す断面図である。
この調圧弁においては、ばね筒６１に螺合された握り６２を回転させて握り６２をばね筒６１に対して下方に移動させると、握り６２に固定されたボルト６３によりばね上６４を通して圧縮コイルばね６５が圧縮され、圧縮コイルばね６５の圧縮により生じたばねの荷重がばね下６６および弁棒６７を通して弁６８に作用し、弁６８を弁座６９に押圧する。そして、ポンプから吐出された液体が弁６８を押し上げて弁６８と弁座６９との間の間隙を通過することにより、ポンプに圧力が発生する。
【０００３】
図８は、従来のねじ込み式の調圧弁を示す断面図である。
この調圧弁においては、握り７１を回転させて、この握り７１に埋設されたボルト７２をばね筒７３の筒部７３ａの上壁にねじ込むと、ばね上７４を通して圧縮コイルばね７５が圧縮され、圧縮コイルばね７５の圧縮により生じたばねの荷重がばね下７６に作用し、ばね下７６および弁棒７７を押し下げて、弁７８を弁座７９に押圧する。そして、ポンプから吐出された液体が弁７８を押し上げて弁７８と弁座７９との間の間隙を通過することにより、ポンプに圧力が発生する。
【０００４】
一方、圧力開放状態にするには、レバー８１を操作する。
すなわち、ばね下７６を貫通し、さらにばね筒７３に形成されている縦方向に長い長穴８２，８２を貫通して、ばね筒７３の外側に突出しているピン８３の両端部に、レバー８１が嵌挿されている。そして、このレバー８１を操作し、カムの原理を利用して、ピン８３を圧縮コイルばね７５の付勢力に抗して上方に移動させると、弁７８に作用する荷重は弁棒７７の重量のみとなる。したがって、この状態でポンプ始動行うと、空気抜きが容易となり、吸水性能が良い。
【０００５】
【発明が解決しようとする課題】
しかしながら、図７のダイヤル式の調圧弁にあっては、握り６２を回転させて握り６２をばね筒６１に対して上方に移動させて、圧力開放状態の位置まで握り６２を戻しても、ばね上６４、圧縮コイルばね６５、ばね下６６および弁棒６７の重量が弁６８に作用する。また、圧力開放状態の位置まで握り６２を戻しても、圧縮コイルばね６５が自由高さまで戻らず、圧縮コイルばね６５に少し荷重生じている場合もあり、その場合にはさらにこの圧縮コイルばね６５の荷重が加わる。このため、ポンプに吸水させようと運転を始めるポンプ始動時に、これらの重さ（圧縮コイルばね６５に荷重が生じている場合はさらにその荷重）により弁６８が弁座６９に密着しているので、空気抜きが不完全になり、吸水しないかあるいは吸水に時間がかかるという問題がある。
【０００６】
また、図８のねじ込み式の調圧弁にあっては、レバー８１を操作することにより、良好な吸水性能を得ることができるものの、このレバー８１の操作が握り７１の操作と別個の操作となっているため、ポンプ始動時にレバー８１の操作を忘れてしまい、ポンプが吸水しないことや、またポンプの加圧運転中に誤ってレバー８１を操作してしまい、圧力を抜いてしまうことがあるという問題がある。
【０００７】
本発明は、上記事情に鑑みて為されたもので、ポンプ始動時の空気抜きを容易に行うことができて、ポンプの吸水性能を向上させることができる調圧弁を提供することを目的とする。
【０００８】
【課題を解決するための手段】
上記目的を達成するために、請求項１に記載の調圧弁は、ばね筒（１４）に螺合された握り（１６）をねじ込むことによって、前記ばね筒（１４）内のばね（１２）を圧縮させて該ばね（１２）に荷重を生じさせ、この荷重をばね下（１１）を通して弁（６）に作用させつつ該弁（６）と弁座（４）の間に液体を通過させて圧力を生じさせる調圧弁において、前記ばね下（１１）に挿入され、さらに前記ばね筒（１４）に前記ばね（１２）の伸縮方向に移動可能に挿入されたピン（２４）と、このピン（２４）に前記ばね筒（１４）の半径方向に突出するように設けられたピン側係合部（２８）と、前記握り（１６）に該握り（１６）の半径方向に突出するように設けられ、該握り（１６）を緩めるときに前記ピン（２４）の前記ピン側係合部（２８）に係合する握り側係合部（３１）とを備えていることを特徴とする。
【０００９】
請求項１に記載の発明においては、握りを緩めると、握りに設けられた握り側係合部がピンに設けられたピン側係合部に係合して、ピンをばね側に移動させ、このピンの移動に伴ってばね下がばね側に移動する。ばね下がばね側に移動すると、ばねの荷重が弁に作用しなくなる。その結果、ポンプ始動時の空気抜きが容易となり、吸水性能が向上する。
【００１２】
なお、上記における括弧内の符号は、図面において対応する要素を便宜的に表記したものであり、したがって本発明は図面上の記載に限定されるものではない。これは、「特許請求の範囲」の欄の記載についても同様である。
【００１３】
【発明の実施の形態】
以下、本発明の実施の形態を図面を参照して説明する。
（第１の実施の形態）
図１〜図３は、本発明の第１の実施の形態に係る調圧弁を示す図であって、図１は平面図、図２は図１のＡ−Ａ線に沿う断面図、図３は図１のＢ−Ｂ線に沿う断面図である。
この調圧弁は、ダイヤル式の調圧弁である。この調圧弁は、ボディ１を備えており、このボディ１にはポンプの吐出部に連通される流入口２と、余液口３とが設けられている。流入口２には弁座４が配設されており、この弁座４の外周にはOリング５が設けられ、弁座４とボディ１との間およびボディ１とポンプの吐出部との間をシールしている。弁座４には球状の弁６が就座されており、この弁６の上部には弁棒７の下端が当接されている。弁棒７は、該弁棒７の外側に嵌挿されたパッキン８、ベローズ９および弁サック１０によりガイドされており、これにより弁棒７のがたつきが防止されている。弁棒７の上端部には、ばね下１１の下端中央部の凹部に嵌入されている。
【００１４】
ばね下１１の上端は、圧縮コイルばね（ばね）１２の下端を受けており、圧縮コイルばね１２の上端は、ばね上１３に当接されている。これらばね下１１、圧縮コイルばね１２およびばね上１３は、ボディ１の上端に接合されたばね筒１４内に上下移動自在に収容されている。
ばね筒１４の上端部外周には、雄ねじ１５が形成されており、この雄ねじ１５に握り１６の内周面に形成された雌ねじ１６Ａが螺合されることにより、握り１６がばね筒１４の上部に取り付けられている。握り１６の中央部にはボルト１７が螺合されており、このボルト１７の下端がばね上１３の上端に当接されている。
【００１５】
ばね筒１４には、板ばね１８の下端部がビス１９により固定されている。この板ばね１８の上端部は、握り１６の内側に周方向に間隔をおいて形成された複数本の縦溝２０のうちの何れかに嵌合されており、これによりボルト１７を通して伝わる圧縮コイルばね１２の荷重（付勢力）によって、握り１６がねじが緩められる方向に不用意に回転するのを防止されている。また、ばね筒１４には、調圧弁の圧力を設定するために、握り１６を回転させて圧力の目安となるマーク（数字）２１を合わせるための目印２２がビス２３により固定されている。
【００１６】
前記ばね下１１には、ピン２４が貫通されている。このピン２４の両端部は、ばね筒１４に形成されている縦方向に長い長穴２５，２５を貫通し、ばね筒１４の半径方向外方に突出している。この突出しているピン２４の両端部はそれぞれ、ばね筒１４の外側に配設された断面形状が逆L字状の係合部材２６，２６の下端部に形成された貫通孔２７，２７に挿入されている。各係合部材２６の半径方向外方に向かって折れ曲がっている係合部２８の下面は、握り１６の下端に固定された円環状の係合部材３０の握り１６の半径方向内方に向かって突出している係合部３１の上面に係合するようになっている。
この調圧弁は、ばね筒１４のフランジおよびボディ１のフランジを貫通するボルト３３によってポンプ（図示せず）の吐出部に取り付けられる。
【００１７】
この調圧弁においては、図４に示すように、圧力が開放状態になるように、握り１６を回転させて握り１６をばね筒１４に対して上方に移動させると、握り１６の下端に固定された係合部材３０の係合部３１に係合部材２６の係合部２８が係合して、係合部材２６が握り１６とともに上方に移動する。この係合部材２６の上方への移動に伴って、ピン２４が上方に移動し、このピン２４の移動に伴ってばね下１１が上方に移動する。ばね下１１が上方に移動すると、圧縮コイルばね１２の荷重が弁棒７に作用しなくなり、その結果弁６に作用する荷重は、弁棒７の重量のみとなる。そのため、ポンプ始動時の空気抜きが容易となり、吸水性能が向上する。
【００１８】
一方、図５に示すように、加圧状態になるように、握り１６を回転させて握り１６をばね筒１４に対して下方に移動させると、握り１６に固定されたボルト１７がばね筒１４に対して下方に移動する。ボルト１７が下方に移動すると、ばね上１３を通して圧縮コイルばね１２が圧縮され、圧縮コイルばね１２の圧縮により生じたばねの荷重がばね下１１および弁棒７を通して弁６に作用し、弁６を弁座４に押圧する。そして、ポンプから吐出された液体が弁６を押し上げて弁６と弁座４との間の間隙を通過することにより、ポンプに圧力が発生する。
この加圧状態のときには、握り１６の下端に固定された係合部材３０は、係合部材２６に係合しないので、係合部材２６にピン２４を介して連結されたばね下１１によって、圧縮コイルばね１２が下方から圧縮されることはない。
【００１９】
この調圧弁にあっては、握り１６を回転させて圧力開放状態にすると、圧縮コイルばね１２の荷重が弁棒７に作用しなくなるので、ポンプ始動時の空気抜きを容易に行うことができ、吸水性能を向上させることができる。
また、減圧操作用のレバーを必要としないので、全体をコンパクトにすることができる。
また、握り１６を回転させて握り１６をばね筒１４に対して上方に移動させることにより、減圧操作と空気抜き操作とを行うことができるので、作業者がポンプ始動時に空気抜き操作を忘れてしまうということがない。
また、加圧状態では空気抜き操作ができないので、運転中に誤って空気抜き操作をして不意にポンプの圧力を抜いてしまうことがない。
また、減圧操作をするためのレバーを必要としないので、全体をコンパクトにすることができる。
また、レバー式の調圧弁に比べて構成が簡単であるので、製造コストを低減することができる。
【００２０】
なお、本実施の形態では、係合部材２６を弁棒７の両端部に２分割にして設けたが、これに代えて、係合部材を例えばつば付き円筒で構成することもできる。さらに、ピン２４に固定される係合部材は、弁棒７に固定されかつ握り１６に設けられた係合部材３０の係合部３１に係合可能な係合部を備えたものであればよい。握り１６に設けられる係合部材も、係合部材２６の係合部２８に係合可能なものであればよく、したがって環状に設けられている必要はなく、握り１６の半径方向内方に部分的に突出しているものなどでも良い。
また、上記実施の形態では、係合部材２６をピン２４と別部材としたが、これに代えて、ピン２４に一体的に形成するようにしてもよい。また、係合部材３０を握り１６と別部材としたが、これに代えて、握り１６に一体的に形成するようにしてもよい。
【００２１】
また、本実施の形態では、弁棒７とばね下１１とを別体としたが、これに代えて、弁棒７をばね下１１と一体に構成してもよい。この場合には、図４に示すように、圧力が開放状態になるように、握り１６を回転させて握り１６をばね筒１４に対し上方に移動させると、ばね下１１とともに弁棒７が上方に引き上げられるので、弁６に弁棒７の重量が作用しなくなるため、ポンプ始動時の空気抜きがより容易となり、吸水性能がより向上する。
【００２２】
（第２の実施の形態）
図６は、本発明の第２の実施の形態に係る調圧弁を示す断面図である。
この調圧弁は、フランジ４１を備えている。このフランジ４１の下部には雄ねじ４２が形成されており、この雄ねじ４２がねじ込まれることにより、ポンプ（図示せず）の吐出部に取り付けられる。また、フランジ４１の中心部には、ポンプの吐出口に連通される通孔４３が形成されている。フランジ４１の上部には、ばね筒４４がボルト（図示せず）により締め付けられて接合されている。ばね筒４４の下部には、フランジ４１の通孔４３に連通された流入口４５と、余液口４６とが設けられている。流入口４５には弁座４７が配設されており、この弁座４７の外周にはOリング４８が設けられ、弁座４７とばね筒４４との間およびばね筒４４とフランジ４１との間をシールしている。
【００２３】
弁座４７には球状の弁４９が就座されており、この弁４９の上部にはばね下５０の下端が当接されている。ばね下５０と弁座４７との間には、圧縮コイルばね（第２のばね）５１が設けられている。ばね下５０の上端部は、ばね筒４４の筒部４４ａ内に嵌入されており、これによりばね下５０の上端部外周が筒部４４ａの内面によってガイドされ、ばね下５０ががたつかないようになっている。ばね下５０の上端は、圧縮コイルばね（ばね）５２の下端を受けており、圧縮コイルばね５２の上端は、ばね上５３の下端に当接されている。これらばね下５０、圧縮コイルばね５２およびばね上５３は、ばね筒４４の筒部４４ａ内に上下移動自在に収容されている。
【００２４】
ばね筒４４の筒部４４ａの上壁には、雌ねじ４４ｂが形成されている。この雌ねじ４４ｂには握り５５に埋設されたボルト５６が螺合されており、握り５５を回転させてボルト５６をねじ込むことにより、ボルト５６の下端でばね上５２を押し下げて、圧縮コイルばね５１を押圧するようになっている。ボルト５６には、ばね筒４４と握り５５との間に、ロックナット５７が螺合されており、このロックナット５７を締め付けることにより、ボルト５６を回転できないようにして、握り５５の位置を固定するようになっている。
【００２５】
この調圧弁においては、図６に示すように、圧力が開放状態になるように、握り５５を回転させてボルト５６を緩め、ボルト５６をばね筒４４の筒部４４ａに対して上方に移動させると、圧縮コイルばね５２に荷重が発生しない状態となる。この状態では、弁座４７とばね下５０との間に設けられている圧縮コイルばね５１の付勢力によってばね下５０が上方に押し上げられる。その結果、弁４９に加わる荷重がなくなるので、ポンプ始動時の空気抜きが容易となり、吸水性能が向上する。
【００２６】
一方、加圧状態になるように、握り５５を回転させてボルト５６を締め込み、ボルト５６をばね筒４４の筒部４４ａに対して下方に移動させると、ばね上５３を通して圧縮コイルばね５２が圧縮され、圧縮コイルばね５２の圧縮により生じたばねの荷重がばね下５０に作用する。この圧縮コイルばね５２の荷重（付勢力）が圧縮コイルばね５１によってばね下５０が押し上げられる荷重よりも大きくなると、ばね下５０を押し下げて、弁４９を弁座４７に押圧する。そして、ポンプから吐出された液体が弁４９を押し上げて弁４９と弁座４７との間の間隙を通過することにより、ポンプに圧力が発生する。
【００２７】
この調圧弁にあっては、圧力を開放状態にするときに、弁座４７とばね下５０との間に設けた圧縮コイルばね５１によりばね下５０を上方に押し上げて、弁４９に作用する荷重がなくなるようにしているので、ポンプ始動時の空気抜きを容易に行うことができ、吸水性能を向させることができる。
また、握り５５を回転させてボルト５６を緩めることにより、減圧操作と空気抜き操作とを行うことができるので、作業者がポンプ始動時に空気抜き操作を忘れてしまうということがない。
また、加圧状態では空気抜き操作ができないので、運転中に誤って空気抜き操作をして不意にポンプの圧力を抜いてしまうことがない。
また、減圧操作をするためのレバーを必要としないので、全体をコンパクトにすることができる。
また、レバー式の調圧弁に比べて構成が簡単であるので、製造コストを低減することができる。
【００２８】
なお、本実施の形態では、ばね下５０を上方に押し上げる圧縮コイルばね５１を弁座４７とばね下５０との間に設けたが、これに代えて、ばね筒４４の底壁とばね下５０との間に設けてもよい。
【００２９】
【発明の効果】
以上説明したように、請求項１に記載の調圧弁によれば、握りを緩めることにより、ばねの荷重が弁に作用しないようにできるので、ポンプ始動時の空気抜きを容易におこなうことができ、吸水性能を向上させることができる。
また、握りを緩めることにより、減圧操作と空気抜き操作とを行うことができるので、作業者がポンプ始動時に空気抜き操作を忘れてしまうのを防止することができる。
また、加圧状態では空気抜き操作ができないので、運転中に誤って空気抜き操作をして不意にポンプの圧力を抜いてしまうのを防止することができる。
また、減圧操作をするためのレバーを必要としないので、全体をコンパクトにすることができる。
また、レバー式の調圧弁に比べて構成が簡単であるので、製造コストを低減することができる。
【図面の簡単な説明】
【図１】本発明の第１の実施の形態に係る調圧弁を示す平面図である。
【図２】図１のＡ−Ａ線に沿う断面図である。
【図３】図１のＢ−Ｂ線に沿う断面図である。
【図４】図１の調圧弁の圧力開放状態の断面図である。
【図５】図１の調圧弁の加圧状態の断面図である。
【図６】本発明の第２の実施の形態に係る調圧弁を示す断面図である。
【図７】従来のダイヤル式調圧弁を示す断面図である。
【図８】従来のレバー式調圧弁を示す断面図である。
【符号の説明】
４，４７    弁座
６，４９    弁
１１，５０    ばね下
１２，５２    圧縮コイルばね（ばね）
１４，４４    ばね筒
１６，５５    握り
２４    ピン
２８    係合部
３１    係合部
５１    圧縮コイルばね（第２のばね）
【図１】
0003976306.tif 000002
【図２】
0003976306.tif 000003
【図３】
0003976306.tif 000004
【図４】
0003976306.tif 000005
【図５】
0003976306.tif 000006
【図６】
0003976306.tif 000007
【図７】
0003976306.tif 000008
【図８】
0003976306.tif 000009